(57)【特許請求の範囲】
【請求項１】
遊技領域に特定入賞口への遊技球の入賞間隔を設定する始動入賞装置を配設し、遊技状態が権利発生状態となっている場合に、遊技球が特定入賞口に入賞する毎に変動入賞装置を遊技者にとって有利な状態に変換するようにした遊技機において、
前記始動入賞装置は、
電気的駆動源により回転動作するように構成されて、遊技球を受け入れるとともに該受け入れた遊技球を回転動作により特定入賞口へ導出する回転体と、
前記回転体を囲うガイド枠と、
を備え、
前記回転体は、
裏面中心に回転軸が突設されたベース盤と、前記ベース盤の前面に円弧状に立設すると共に切り欠き部を設けた球受壁と、を備えるとともに、回転中心が遊技領域の前方に向けて配置されて構成され、
前記ガイド枠の上端部と前記球受壁の外周部とにより、前記始動入賞装置の入口に遊技球を保持する球保持部を形成する一方、前記球受壁の内周部に球受部を形成して、前記回転体の回転動作により前記球保持部からの遊技球を前記切り欠き部を介して前記球受部に受け入れるとともに該受け入れた遊技球を該回転動作により前記切り欠き部を介して前記特定入賞口へ導出するように構成し、前記球受部を、遊技球１個を受け入れる大きさに、かつ前記回転体の回転中心が貫く位置に形成し、
前記ガイド枠は、遊技領域の前方より回転体の球受部の遊技球を視認可能に構成されるとともに、前記球受壁の立設先端部位を覆うつば部を設け、
前記電気的駆動源による回転体の回転速度を変更することによって、特定入賞口への遊技球の入賞間隔を変更制御可能な入賞間隔変更制御手段を備えたことを特徴とする遊技機。
【請求項２】
前記ガイド枠に、前記球保持部に保持した遊技球の前記球受壁の立設先端部位前方への移動を規制するカバーを設けたことを特徴とする請求項１に記載の遊技機。
【請求項３】
前記切り欠き部は、前記ベース盤から前記球受壁の立設先端部位に向かって大きく形成したことを特徴とする請求項１または２に記載の遊技機。
【請求項４】
前記始動入賞装置を前記変動入賞装置の上方に配置し、
該始動入賞装置に、始動入賞装置の周辺を流下する遊技球の流下方向を変更可能な流下方向変更部材を設ける一方、
該流下方向変更部材を駆動制御する変換制御手段を備え、
該変換制御手段が、前記権利の発生過程の所期条件にしたがって流下方向変更部材を駆動制御することで、権利発生状態における変動入賞装置への遊技球の入賞状態を変化可能としたことを特徴とする請求項１〜３のいずれか１つに記載の遊技機。
【発明の詳細な説明】
【０００１】
【発明の属する技術分野】
この発明は、遊技状態が権利発生状態となっている場合に、遊技球が特定入賞口に入賞する毎に変動入賞装置を遊技者にとって有利な状態に変換するようにした弾球遊技機に関する。
【０００２】
【従来の技術】
従来、始動口の入賞を基に変動表示装置の図柄の変動表示を行い、当たり図柄が出ると特別の入賞領域の扉を開いて、このとき遊技球が特別の入賞領域に入賞すると、あるいは始動口の入賞を基に所定の領域の扉を開き、遊技球がその領域内の特定部位に入賞すると変動表示装置の図柄の変動表示を行い、当たり図柄が出るとその入賞球を特別の入賞領域に導いて、特別権利状態を発生させ、この権利発生状態中に、遊技球が特定入賞口に入賞する毎に変動入賞装置を遊技者にとって有利な開状態に変換するようにした弾球遊技機（第３種パチンコ遊技機）がある。
【０００３】
この種の遊技機は、権利発生状態となっている場合に、遊技球が特定入賞口に連続して入賞してしまうと、その分変動入賞装置の開期間が短くなって、十分な獲得球を得られなくなる恐れがあるため、特定入賞口への遊技球の入賞間隔を設定する始動入賞装置を設けており、この始動入賞装置は、円周の一部位に球受部を設けた回転体を備え、始動入賞装置の入口より球受部に受け入れた遊技球を回転体の回転動作によって特定入賞口へ搬送、導出するようになっている。
【０００４】
【発明が解決しようとする課題】
しかし、このような始動入賞装置は、回転体の径が大きく、装置が大きくなっている。そのため、遊技盤への設置スペースが大きく、したがって周りの遊技領域を狭めることになり、遊技球の流れ、転動に影響するため、配置が難しい。
【０００５】
一方、球受部の軌道が大きくなっている分、球受部に入った遊技球が徐々に特定入賞口へ移動していくのは分かるが、これだと特定入賞口へ遊技球が入賞するタイミングを把握しやすいため、遊技者によっては、変動入賞装置が閉じた後、遊技球が特定入賞口へ入賞して変動入賞装置が再び開くまでの間、遊技球の発射を停止してしまういわゆる止め打ちを行うようになり、そのため遊技店の売り上げが上がりにくくなってしまうという問題がある。
【０００６】
この発明は、このような問題点を解決することを目的とする。
【０００７】
【課題を解決するための手段】
第１の発明は、遊技領域に特定入賞口への遊技球の入賞間隔を設定する始動入賞装置を配設し、遊技状態が権利発生状態となっている場合に、遊技球が特定入賞口に入賞する毎に変動入賞装置を遊技者にとって有利な状態に変換するようにした遊技機において、前記始動入賞装置は、 電気的駆動源により回転動作するように構成されて、遊技球を受け入れるとともに該受け入れた遊技球を回転動作により特定入賞口へ導出する回転体と、前記回転体を囲うガイド枠と、を備え、前記回転体は、裏面中心に回転軸が突設されたベース盤と、前記ベース盤の前面に円弧状に立設すると共に切り欠き部を設けた球受壁と、を備えるとともに、回転中心が遊技領域の前方に向けて配置されて構成され、前記ガイド枠の上端部と前記球受壁の外周部とにより、前記始動入賞装置の入口に遊技球を保持する球保持部を形成する一方、前記球受壁の内周部に球受部を形成して、前記回転体の回転動作により前記球保持部からの遊技球を前記切り欠き部を介して前記球受部に受け入れるとともに該受け入れた遊技球を該回転動作により前記切り欠き部を介して前記特定入賞口へ導出するように構成し、前記球受部を、遊技球１個を受け入れる大きさに、かつ前記回転体の回転中心が貫く位置に形成し、前記ガイド枠は、遊技領域の前方より回転体の球受部の遊技球を視認可能に構成されるとともに、前記球受壁の立設先端部位を覆うつば部を設け、前記電気的駆動源による回転体の回転速度を変更することによって、特定入賞口への遊技球の入賞間隔を変更制御可能な入賞間隔変更制御手段を備える。
【００１２】
第２の発明は、第１の発明において、前記ガイド枠に、前記球保持部に保持した遊技球の前記球受壁の立設先端部位前方への移動を規制するカバーを設ける。
【００１３】
第３の発明は、第１または第２の発明において、前記切り欠き部は、前記ベース盤から前記球受壁の立設先端部位に向かって大きく形成する。
【００１５】
第４の発明は、第１〜第３の発明において、前記始動入賞装置を変動入賞装置の上方に配置し、該始動入賞装置に、始動入賞装置の周辺を流下する遊技球の流下方向を変更可能な流下方向変更部材を設ける一方、該流下方向変更部材を駆動制御する変換制御手段を備え、該変換制御手段が、前記権利の発生過程の所期条件にしたがって流下方向変更部材を駆動制御することで、権利発生状態における変動入賞装置への遊技球の入賞状態を変化可能とする。
【００１６】
【発明の効果】
第１の発明では、権利発生状態となった場合、遊技球が入賞する毎に変動入賞装置を有利な状態に変換するための特定入賞口への遊技球の入賞間隔を設定する始動入賞装置の回転体を小さくして、始動入賞装置を小型化でき、周りの遊技領域を狭めるようなことはなく、遊技盤への配置を容易に行える。また、球受部に受け入れた遊技球がほぼ位置を変えずに、特定入賞口に導出されるといった意外性のある入賞動作になり、始動入賞装置の興趣を高めることができる。
【００１８】
また、回転体を保護することができ、始動入賞装置入口に特定入賞口への次の入賞球を的確に保持できる。
【００１９】
また、球受部に遊技球が有るかどうかを遊技者は容易に確認できる一方、遊技者にとって球受部に入った遊技球が何時特定入賞口へ入賞するかのタイミングを把握しにくくでき、止め打ちを防止できる。
また、遊技球の特定入賞口への入賞タイミングを遊技者は把握できなくなり、止め打ちを確実に防止することができる。
【００２０】
第２の発明では、球保持部に保持した遊技球が遊技領域の前面のガラスに当たるようなことはない。
【００２１】
第３の発明では、球受部より特定入賞口へ遊技球が導出される際等、遊技球はスムーズに動き、球ガミを防止できる。
【００２３】
第４の発明では、権利発生状態の種類に応じて獲得する遊技球の量に変化を生じさせることが可能となり、遊技内容を多彩化でき、興趣を向上することができる。また、遊技球の獲得量が少ない権利発生状態が発生する分、相対的に権利発生状態の発生確率を高く設定して、遊技者の期待感を高めることもできる。
【００２４】
【発明の実施の形態】
以下、添付図面に基づいて、本発明の実施の形態について説明する。
【００２５】
図１は遊技機（パチンコ遊技機）の遊技盤１の正面図である。
【００２６】
遊技盤１の表面には、ガイドレール２で囲われた遊技領域３の中央上部に飛び込み入賞装置４が、中央部に権利発生用役物装置５が、その下部に権利発生用入賞装置６が配設される。
【００２７】
権利発生用役物装置５の左側の遊技領域３には、上部および下部に一般入賞口７、８が設けられる。一般入賞口７、８への入賞はそれぞれに設けられた入賞口センサにより検出される。
【００２８】
権利発生用役物装置５の右側の遊技領域３には、上部に始動入賞装置１０が、下部に特別変動入賞装置（大入賞口）１１が配設される。
【００２９】
権利発生用入賞装置６の左右の遊技領域３には普電作動口１２Ａ、１２Ｂが配設される。普電作動口１２Ａ、１２Ｂへの入賞はそれぞれに設けられた普電作動センサ５０Ａ、５０Ｂ（図６参照）により検出される。
【００３０】
権利発生用役物装置５には、上部に普通変動入賞口（普電）１４が、中央に設けられた凹室に振分装置１５が、下部に変動表示装置（特別変動表示装置）１６が備えられる。
【００３１】
普通変動入賞口１４は、飛び込み入賞装置４の直下に配置され、飛び込み入賞装置４に入った遊技球は、その開口より普通変動入賞口１４に入賞される。また、普通変動入賞口１４は、開口の両側に可動部材１７Ａ、１７Ｂが設けられ、可動部材１７Ａ、１７Ｂは、普電作動口１２Ａ、１２Ｂへ遊技球が入賞すると、普電ソレノイド５１（図６参照）の駆動によって図示状態から拡開される。
【００３２】
振分装置１５は、複数の球受部を形成してモータ５２（図６参照）の駆動によって所定速度で回転する回転テーブル（回転体）１８を備え、普通変動入賞口１４に入賞して凹室に入った入賞球が回転テーブル１８の複数の球受部の内の特定の球受部に流入すると、回転テーブル１８の回転に伴って権利発生用入賞装置６に連通する連通路に球受部の遊技球を導出する。該凹室に入った入賞球が特定の球受部以外の球受部に流入すると、回転テーブル１８の回転に伴って一般入賞領域（図示しない）に球受部の遊技球を導出する。
【００３３】
権利発生用入賞装置６は、特別入賞領域と一般入賞領域が形成され、前記連通路から流下する遊技球を一旦停留させる停留部を備えると共に、該停留部に停留した遊技球を検出する始動センサ５３（図６参照）を備えている。また、停留部に停留した遊技球を前記特別入賞領域あるいは一般入賞領域の何れか一方に移送する回転移送部材を備えている。そして、遊技球が停留部に停留されて始動センサ５３により検出されると、変動表示装置１６の変動表示ゲームが開始され、変動表示ゲームが当たりになると、回転移送部材が特別入賞領域に向けて遊技球を移送して特別入賞領域に入賞させる。一方、変動表示ゲームがハズレになると、回転移送部材が一般入賞領域に向けて遊技球を移送して一般入賞領域に入賞させる。また、停留部に遊技球が停留されると、その上部に停留阻止部材が連通路内に突出し、次の遊技球が連通路から流下してきても、停留部に流下することを阻止し、流下を阻止された遊技球は一般入賞領域に誘導される。停留阻止部材は、変動表示ゲームの結果が導出されて、停留部に停留されていた遊技球の前記何れかの入賞領域への移送が完了した場合に、非突出状態に変換され次の遊技球の停留部への入賞を許容する。
【００３４】
特別入賞領域に入賞した入賞球は、特別入賞領域検出センサ５４（図６参照）により検出される。一般入賞領域に入賞した入賞球は、一般入賞領域検出センサ５５（図６参照）により検出される。
【００３５】
変動表示装置１６は、例えばＬＥＤ、ＬＣＤ（液晶表示装置）等で構成され、変動表示ゲームは、複数列の識別情報（識別図柄）が変動表示され、所定時間後に停止表示される。変動表示ゲームが当たりの場合、複数列の識別情報が同一の識別情報の組み合わせで停止表示され、ハズレの場合、複数列の識別情報が異なる識別情報の組み合わせで停止表示される。
【００３６】
図２、図３、図４は、始動入賞装置１０の斜視図および分解斜視図を示す。
【００３７】
始動入賞装置１０は、遊技盤１の表面への取付基板２０の前面に、特定入賞口２１を構成する特定入賞口構成部材２２が取り付けられ、特定入賞口２１の上部に回転体２３が配設される。
【００３８】
回転体２３は、裏面中心に回転軸２４が突設されたベース盤２５の前面に、周の一部に切り欠き部２６を設けて遊技球の球受部２７を形成する球受壁２８が立設され、球受部２７は遊技球１個を受け入れる大きさに、受け入れた遊技球の中心が回転体２３の回転中心（回転軸心）に位置するように形成される。
【００３９】
球受部２７は回転体２３の回転中心が貫く位置に形成され、この場合必ずしも球受部２７における遊技球の中心と回転体２３の回転中心とが一致するように形成せずとも良い。
【００４０】
球受壁２８は円弧状の壁からなり、切り欠き部２６はベース盤２５から球受壁２８の立設先端部位に向かって大きく形成される。
【００４１】
回転体２３は、回転中心、球受壁２８の立設先端部位が遊技盤１の前方（遊技領域３の前方）を向くように配置され、ベース盤２５の裏面の回転軸２４は取付基板２０に形成された軸受部３０に挿通、支持されると共に、モータ３１（電気的駆動源）に連結される。
【００４２】
特定入賞口構成部材２２の内部には、特定入賞口２１に入賞した入賞球を取付基板２０の裏面に導く入賞路が形成され、入賞路の途中に入賞球を検出する特定入賞センサ３２が配置される。
【００４３】
取付基板２０の前面の特定入賞口構成部材２２の上部には、始動入賞装置入口３３を形成すると共に、左右両側より回転体２３を囲うガイド枠３４が配設される。
【００４４】
ガイド枠３４は、左右の内壁（図示しない）が回転体２３を囲い、そのうち回転体２３の球受部２７の遊技球に面する内壁（例えば、右の内壁）には、始動入賞装置入口３３より中間部位にかけて球ガミを防止するように窪みが形成される。
【００４５】
ガイド枠３４の前壁および前壁の上部には、図５のように回転体２３の球受壁２８の立設先端部位の前方を覆うつば部３５およびカバー３６が設けられる。つば部３５は、ガイド枠３４の前壁を内側に延ばして形成される。
【００４６】
左右のガイド枠３４の上端部と回転体２３の球受壁２８の外周部とにより、始動入賞装置入口３３に遊技球を保持する球保持部が構成されると共に、球保持部に保持した遊技球の球受壁２８の立設先端部位前方への移動はカバー３６によって規制される。
【００４７】
取付基板２０の裏面には、ガイド枠３４の後方に電気的発光体（例えば、ＬＥＤ）３７を配置する装飾用基板３８が取り付けられ、装飾用基板３８の裏面には半田面を保護する保護板４０が備えられる。
【００４８】
保護板４０の後方には、取付基板２０に立設された支持柱４１に取り付けられるモータ取付台４２にモータ３１が取り付けられ、モータ３１の出力軸がスリーブ継手４３を介して回転体２３の回転軸２４に連結される。モータ取付台４２には、モータ３１の回転によって位置がずれないように、係止片４４が突設され、係止片４４が取付基板２０に形成されたカバーを兼ねる支持部４５に係着される。
【００４９】
始動入賞装置入口３３の遊技球は、モータ３１の回転による回転体２３の回転動作により、始動入賞装置入口３３の位置に回転体２３の球受部２７の出入口である切り欠き部２６が来ると、球受部２７に受け入れられ、その位置より回転体２３が半周して切り欠き部２６が特定入賞口２１の位置に来ると、球受部２７より特定入賞口２１に落ち、入賞される。
【００５０】
この特定入賞口２１に入賞して特定入賞センサ３２を通過した入賞球は、取付基板２０の裏面に形成された誘導路４６を介して遊技機の遊技球の回収樋に送られる。
【００５１】
特別変動入賞装置１１は、大入賞口ソレノイド５６（図６参照）の駆動によって、球を受け入れない閉状態（遊技者に不利な状態）から球を受け入れやすい開状態（遊技者に有利な状態）に変換される。特別変動入賞装置１１への入賞はカウントセンサ５７（図６参照）により検出される。
【００５２】
図示しない打球発射装置から遊技領域３に向けて遊技球（パチンコ球）が打ち出されることにより遊技が行われ、打ち出された遊技球は、遊技領域３内の各所に配置された風車等の転動誘導部材により転動方向を変えられながら遊技領域３表面を流下し、一般入賞口、普電作動口１２Ａ、１２Ｂ、権利発生用役物装置５の普通変動入賞口１４、始動入賞装置１０、特別変動入賞装置１１に入賞するか、遊技領域３の最下端のアウト口４７から排出される。これらの入賞装置に遊技球が入賞すると、入賞装置の種類に応じた数の賞球が図示しない払出ユニット（排出装置）から排出され、図示しない供給皿（遊技者に対して賞球または貸球が払い出される皿）に供給される。
【００５３】
図６は、遊技制御装置１００を中心とする制御系を示すブロック構成図である。
【００５４】
遊技制御装置１００は、遊技を統括的に制御する主制御装置であり、ＣＰＵ、ＲＯＭ、ＲＡＭを内蔵した遊技用マイクロコンピュータ１０１、入力インターフェース１０２、出力インターフェース１０３、発振器１０４等からなる。
【００５５】
遊技用マイクロコンピュータ１０１は、ＲＯＭに格納したプログラムおよび各種検出装置（普電作動センサ５０Ａ、５０Ｂ、入賞口センサ、始動センサ５３、特別入賞領域検出センサ５４、一般入賞領域検出センサ５５、特定入賞センサ３２、カウントセンサ５７等）からの検出信号に基づいて、各種制御装置（表示制御装置２００、排出制御装置３００等）に指令信号を送信すると共に、普通変動入賞口１４の普電ソレノイド５１、振分装置１５のモータ５２、始動入賞装置１０のモータ３１、特別変動入賞装置１１の大入賞口ソレノイド５６等を制御する。
【００５６】
表示制御装置２００は、遊技制御装置１００からの表示指令信号に基づいて、画面情報を作成して、変動表示装置１６に画像を表示する。なお、変動表示装置１６にＬＥＤを用いた場合は、遊技制御装置１００が直接変動表示装置１６を制御するようにしても良い。
【００５７】
排出制御装置３００は、遊技制御装置１００からの賞球指令信号または図示しないカード球貸ユニットからの貸球要求に基づいて、払出ユニットの動作を制御し、賞球または貸球の排出を行わせる。
【００５８】
遊技が行われ、遊技球が飛び込み入賞装置４から権利発生用役物装置５の普通変動入賞口１４に入賞あるいは普電作動口１２Ａ、１２Ｂへの入賞により普通変動入賞口１４の可動部材１７Ａ、１７Ｂが拡開して遊技球が権利発生用役物装置５の普通変動入賞口１４に入賞し、振分装置１５に入り、その回転テーブル１８の特定の球受部に乗って、変動表示装置１６の変動表示ゲームが開始し、変動表示ゲームが当たりになって、入賞球が権利発生用入賞装置６内の特別入賞領域に入賞すると、遊技制御装置１００が特別権利状態を発生し（権利発生状態にあるときは消滅する）、特別遊技の実行を待機する状態となる。
【００５９】
この特別遊技では、遊技球が始動入賞装置１０の特定入賞口２１に入賞する毎に、特別変動入賞装置１１が開かれ、特別変動入賞装置１１に遊技球が所定数（例えば１０個）入賞するとまたは所定時間（例えば１０秒）経過すると、特別変動入賞装置１１が閉じられ、これが特定入賞口２１へ遊技球が規定数（例えば１６個）入賞するまで繰り返される。この場合、開放中の特別変動入賞装置１１が閉鎖してから次の遊技球が特定入賞口２１へ入賞するように、始動入賞装置１０の回転体２３の回転速度（周期）が設定されている。
【００６０】
このように、権利発生状態となった場合、遊技球が特定入賞口２１に入賞する毎に、特別変動入賞装置１１が開かれるが、その特定入賞口２１への遊技球の入賞間隔を設定する始動入賞装置１０は、球受部２７に受け入れた遊技球を回転動作により特定入賞口２１へ導出する回転体２３を備えると共に、その球受部２７を、遊技球１個を受け入れる大きさに、かつ回転体２３の回転中心が貫く位置に形成したので、回転体２３を小さくできる。また、回転体２３をベース盤２５と、ベース盤２５に立設する切り欠き部２６を設けた球受壁２８とにより形成すると共に、球受壁２８の外周部にて始動入賞装置入口３３に遊技球を保持可能な形状にしたので、回転体２３を小さくできる。
【００６１】
したがって、始動入賞装置１０を小型化でき、周りの遊技領域を狭めるようなことはなく、遊技盤１への配置を容易に行える。
【００６２】
また、球受部２７を、回転体２３の回転中心が貫く位置に形成したので、球受部２７の遊技球の動きは小さく、特に球受部２７における遊技球の中心と回転体２３の回転中心とが一致するように形成した場合には、球受部２７の遊技球は回転体２３の回転動作に対して自転のみを行うようになる。そのため、遊技球がほぼ位置を変えずに、切り欠き部２６が特定入賞口２１の位置に来ると特定入賞口２１に落ちるといった意外性のある入賞動作になり、始動入賞装置１０の興趣を高めることができる。
【００６３】
また、回転体２３の回転中心が遊技領域３の前方を向くように配置して、特定入賞口構成部材２２とガイド枠３４とカバー３６とで開口窓部を形成して、遊技領域３の前方より、回転体２３の球受部２７の遊技球を視認可能にしたので、球受部２７に遊技球が有るかどうかを遊技者は容易に確認できる。
【００６４】
また、回転体２３を囲うガイド枠３４を備えるので、回転体２３を保護することができ、また、球受壁２８の外周部とガイド枠３４とにより始動入賞装置入口３３に遊技球を保持する球保持部を構成するので、特定入賞口２１への次の入賞球を的確に保持できる。
【００６５】
また、回転体２３の回転動作に対して遊技球がほぼ位置を変えないようにすると共に、ガイド枠３４に球受壁２８の立設先端部位を覆うつば部３５を設けるので、切り欠き部２６の回転位置が視認しずらく、遊技者にとって球受部２７に入った遊技球が何時特定入賞口２１へ入賞するかのタイミングを把握しずらくなる。そのため、遊技者によっては、特別遊技中（権利発生状態中）に、特別変動入賞装置１１が閉じた後、遊技球が特定入賞口２１へ入賞して特別変動入賞装置１１が再び開くまでの間、遊技球の発射を停止してしまういわゆる止め打ちを行う者がいるが、このような止め打ちを防止することができ、遊技店の売り上げ向上を期待できる。
【００６６】
また、回転体２３を囲うと共に球受部２７の遊技球に面するガイド枠３４の内壁に窪みを形成したため、始動入賞装置入口３３より球受部２７に遊技球を受け入れる際等の球ガミを防止できる。
【００６７】
また、円弧状の球受壁２８の切り欠き部２６をベース盤２５から球受壁２８の立設先端部位に向かって大きく形成したため、球受部２７より特定入賞口２１へ遊技球が導出される際等、遊技球はスムーズに動き、球ガミを防止できる。
【００６８】
また、ガイド枠３４に、球保持部（始動入賞装置入口３３）の遊技球の球受壁の立設先端部位前方への移動を規制するカバーを設けたので、球保持部に保持した遊技球が遊技領域３の前面のガラスに当たるようなことはない。
【００６９】
また、ガイド枠３４の後方に電気的発光体（例えば、ＬＥＤ）３７を配置するため、遊技球の衝突による衝撃を電気的発光体３７が受けるようなことはない。また、電気的発光体３７、装飾用基板３８は、保護板４０ならびに取付基板２０に形成してモータ３１の位置ずれを防止するためのカバーを兼ねる支持部４５によって保護することができる。
【００７０】
一方、回転体２３（モータ３１）は、遊技制御装置１００が一定の速度で回転して、特定入賞口２１への遊技球の入賞タイミングを一定に制御するようになっているが、遊技制御装置１００は、回転体２３（モータ３１）の回転速度を変更することによって、特定入賞口への遊技球の入賞間隔を変更制御するようにして良い。遊技制御装置１００は、入賞間隔変更制御手段を構成する。
【００７１】
この場合、回転体２３（モータ３１）の回転速度を増速したり、減速したり、あるいは一時的に回転を停止したりして、回転体２３（モータ３１）の回転周期を不規則にする。
【００７２】
即ち、ガイド枠３４につば部３５を設けて回転体２３の球受壁２８の立設先端部位を隠すようにしても、回転体２３（モータ３１）を一定周期で回転していると、その周期に応じたタイミングでいわゆる止め打ちを行うことが可能であるが、このように回転体２３（モータ３１）の回転速度を変更して回転周期を不規則にすれば、遊技球の特定入賞口２１への入賞タイミングは分からなくなり、止め打ちを確実に防止することができる。
【００７３】
なお、回転体２３（モータ３１）の回転速度は、特別遊技の進行具合、特別変動入賞装置１１の開閉状態によって変更するようにして良い。
【００７４】
図７は本発明の第２の実施の形態を示す。これは、始動入賞装置１０に、始動入賞装置１０の周辺を流下する遊技球の流下方向を変更可能な流下方向変更部材７０を設けたものである。
【００７５】
流下方向変更部材７０は、始動入賞装置１０の取付基板２０の左右の所定部位に配設され、それぞれ一対の脚部７１がそれぞれ取付基板２０に形成された一対の円弧状のガイド溝７２に挿通され、それぞれ一対の脚部７１の基端が、取付基板２０の裏面側にて、リンクを介して図示しない方向変換用モータに連結される。
【００７６】
図７のように初期位置（常態位置）にある流下方向変更部材７０は、方向変換用モータが一方向に駆動されると、図８のように下部を外方に向けたハの字状に変換され、方向変換用モータが反対方向に駆動されると、図９のように上部を外方に向けた逆ハの字状に変換される。
【００７７】
流下方向変更部材７０が図８のようにハの字状に変換された状態では、始動入賞装置１０の周辺を流下する遊技球は、下方に位置する特別変動入賞装置１１へ入賞しにくくなり、図９のように逆ハの字状に変換された状態では、始動入賞装置１０の周辺を流下する遊技球は、下方に位置する特別変動入賞装置１１へ入賞しやすくなる。
【００７８】
一方、流下方向変更部材７０の方向変換用モータは、遊技制御装置１００（変換制御手段）によって、前記特別権利状態の発生過程の所期条件にしたがって駆動制御される。
【００７９】
即ち、遊技制御装置１００は、遊技球が権利発生用役物装置５の普通変動入賞口１４に入賞して、振分装置１５の回転テーブル１８の特定の球受部に乗ると、始動センサ５３の検出に基づき所定の乱数を抽出して、変動表示装置１６の変動表示ゲームを開始すると共に、乱数が当たりの場合に、変動表示ゲームを当たりにするようになっており、当たりの場合、入賞球を権利発生用入賞装置６内の特別入賞領域に導いて特別権利状態を発生させる（権利発生状態にあるときは消滅する）のであるが、この場合、変動表示ゲームが特定の識別情報の当たりの組み合わせのときは、その特別遊技の終了後に、次回の特別権利状態の発生確率を高くする確率変動状態を発生するように構成して、この変動表示ゲームの特定の識別情報の当たりの組み合わせに基づくつまり確率変動状態を伴う権利発生状態中（特別遊技中）は、流下方向変更部材７０を図９のように逆ハの字状に変換するように、またこれ以外の権利発生状態中（特別遊技中）は、流下方向変更部材７０を図８のようにハの字状に変換するように制御する。
【００８０】
このようにすれば、権利発生状態の種類に応じて獲得する遊技球の量に変化を生じさせることが可能となり、遊技内容を多彩化でき、興趣を向上することができる。また、遊技球の獲得量が少ない権利発生状態が発生する分、相対的に権利発生状態の発生確率を高く設定することも可能となり、遊技者の期待感を高めることもできる。
【００８１】
また、回転体２３が小型であるので、何ら問題なく流下方向変更部材７０を配設することができる。
【００８２】
なお、実施の形態では、遊技機として第３種パチンコ遊技機に適用した例を示したが、実施の形態の入賞装置１０は第１種パチンコ遊技機やその他の遊技機に設けることができ、また、例えばパチスロ、アレンジボール等の遊技機にも適用できる。
【００８３】
また、今回開示された実施の形態は全ての点で例示であって制限的なものではないと考えられるべきである。本発明の範囲は上記した説明ではなくて特許請求の範囲によって示され、特許請求の範囲と均等の意味および範囲内での全ての変更が含まれることが意図される。
【図面の簡単な説明】
【図１】本発明の実施の形態における遊技機の遊技盤を示す正面図である。
【図２】始動入賞装置の斜視図である。
【図３】始動入賞装置の分解斜視図である。
【図４】始動入賞装置の分解斜視図である。
【図５】ガイド枠の正面図である。
【図６】制御系のブロック構成図である。
【図７】第２の実施の形態の始動入賞装置の正面図である。
【図８】流下方向変更部材の動作説明図である。
【図９】流下方向変更部材の動作説明図である。
【符号の説明】
１  遊技盤
３  遊技領域
５  権利発生用役物装置
６  権利発生用入賞装置
１０  始動入賞装置
１１  特別変動入賞装置
１２Ａ、１２Ｂ  普電作動口
１４  普通変動入賞口
１５  振分装置
１６  変動表示装置
２０  取付基板
２１  特定入賞口
２２  特定入賞口構成部材
２３  回転体
２５  ベース盤
２６  切り欠き部
２７  球受部
２８  球受壁
３１  モータ
３２  特定入賞センサ
３３  始動入賞装置入口
３４  ガイド枠
３５  つば部
３６  カバー
５４  特別入賞領域検出センサ
５５  一般入賞領域検出センサ
５６  大入賞口ソレノイド
７０  流下方向変更部材
１００  遊技制御装置
【図１】
0004008725.tif 000002
【図２】
0004008725.tif 000003
【図３】
0004008725.tif 000004
【図４】
0004008725.tif 000005
【図５】
0004008725.tif 000006
【図６】
0004008725.tif 000007
【図７】
0004008725.tif 000008
【図８】
0004008725.tif 000009
【図９】
0004008725.tif 000010